(57)【特許請求の範囲】
【請求項１】
プリント基板に直付けされる電線接続用の端子台であって、接続導体を収納した同一形状の複数のハウジングを備え、
前記ハウジングの各々は、互いに厚さ方向に連結する薄形の四角形の箱形であり、前記接続導体を収納する収納空間を厚さ方向の片面に開口するとともに、周側の一コーナ部に対角方向に接続電線を挿入する挿入穴を形成し、
さらに前記複数のハウジングの前記収納空間を開口する開口部より突出する弾性片からなる係止爪と、前記開口部のある前記片面と反対側の片面で前記係止爪と連結方向の同一軸線上に隣接する前記ハウジングの前記係止爪を挿入する穴と、前記係止爪を前記穴に係止する段部とを設け、
さらに、前記複数のハウジングの端に並ぶ前記ハウジングの前記開口部を塞ぐエンドカバーを有し、前記エンドカバーに前記係止爪を挿入する穴および前記係止爪を前記穴に係止する段部を設け、
前記係止爪は、前記接続電線の前記挿入穴への挿入方向に対して、前記鎖錠ばねを挟んで両サイドに配置されており、
前記接続導体は、導電板を略長円形状に曲げその一端を前記接続電線を保持する鎖錠ばねとし、他端を接触片として前記鎖錠ばねを前記接触片の内面に対向した端子台。
【請求項２】
前記係止爪は前記挿入穴の近傍に設けた請求項１記載の端子台。
【請求項３】
前記係止爪は複数有し、その突出方向が略同一方向である請求項１または請求項２記載の端子台。
【請求項４】
前記係止爪の爪先の全ての突出方向が、端子台取付面に対して略平行方向である請求項３記載の端子台。
【請求項５】
前記係止爪の爪先の全ての突出方向が、端子台取付面に対して略垂直方向である請求項３記載の端子台。
【発明の詳細な説明】
【０００１】
【発明の属する技術分野】
この発明は、主に照明器具に使われる点灯回路のプリント基板に用いられる端子台に関するものである。
【０００２】
【従来の技術】
従来は、端子台の極数はハヴシング形状によって決められていたため、決まった極数の端子台をそれぞれ個々に製造しなければならず、極数を自由に変更することはできなかった。
【０００３】
これに対して、図１３に示すようにプリント基板１０１に搭載する複数のハウジング１００の相互の連結によって、極数を増やすことのできる端子台があった（例えば実開平６−２１１５７号）。
【０００４】
【発明が解決しようとする課題】
しかしその連結方法が、円柱状の突起と穴との圧入によって行われていたため、組み立てに治具などが必要であり、また結合力が弱く、容易に外れる可能性があった。さらに製造上の精度の問題で、突起と穴の位置が少しでもずれると、多数個の連結では、大きなずれが生じ、プリント基板１０１と端子台１００の間に隙間１０３ができ実装困難となった。
【０００５】
また組み立て方式がスライド式連結である端子装置があった（例えば特開平5-182700号) が、スライド式のためスライド方向には容易に外れてしまう。
【０００６】
したがって、この発明の目的は、組み立て容易で確実に連結できる端子台を提供することである。
【０００７】
【課題を解決するための手段】
請求項１記載の端子台は、プリント基板に直付けされる電線接続用の端子台であって、接続導体を収納した同一形状の複数のハウジングを備え、
前記ハウジングの各々は、互いに厚さ方向に連結する薄形の四角形の箱形であり、前記接続導体を収納する収納空間を厚さ方向の片面に開口するとともに、周側の一コーナ部に対角方向に接続電線を挿入する挿入穴を形成し、
さらに前記複数のハウジングの前記収納空間を開口する開口部より突出する弾性片からなる係止爪と、前記開口部のある前記片面と反対側の片面で前記係止爪と連結方向の同一軸線上に隣接する前記ハウジングの前記係止爪を挿入する穴と、前記係止爪を前記穴に係止する段部とを設け、
さらに、前記複数のハウジングの端に並ぶ前記ハウジングの前記開口部を塞ぐエンドカバーを有し、前記エンドカバーに前記係止爪を挿入する穴および前記係止爪を前記穴に係止する段部を設け、
前記係止爪は、前記接続電線の前記挿入穴への挿入方向に対して、前記鎖錠ばねを挟んで両サイドに配置されており、
前記接続導体は、導電板を略長円形状に曲げその一端を前記接続電線を保持する鎖錠ばねとし、他端を接触片として前記鎖錠ばねを前記接触片の内面に対向したものである。
【０００８】
請求項１記載の端子台によれば、同一形状のハウジングを複数個連結することによって極数を変更でき、ハウジングの相互を係止爪によって連結するため、連結強度が強く、確実に連結することができる。また連結の個数を増やしても、圧入でなくてよいのでほぼ真っ直ぐに連結でき、係止爪を引っ掛ける段部は穴に設けられているため、外力によって容易に外されない。
【００１２】
さらに、鎖錠ばねを挟んで両側に係止爪を設けているため、電線の挿入に対して、係止爪にかかる力がほぼ均等であるので、片側に広く隙間が開くことがない。
【００１３】
請求項２記載の端子台は、請求項１において、前記係止爪を前記挿入穴の近傍に設けたものである。
【００１４】
請求項２記載の端子台によれば、請求項１と同様な効果のほか、電線をこじられた場合でも、挿入穴の近傍の係止爪でハウジング同士またはハウジングとエンドカバーを固定しているので、容易には外れない。
【００１５】
請求項３記載の端子台は、請求項１または請求項２において、前記係止爪は複数有し、その突出方向が、略同一方向である。
【００１６】
請求項３記載の端子台によれば、請求項１または請求項２と同様な効果のほか、すべての係止爪の突出方向が同一のため、係止爪とその係止部とのクリアランスを設けることができ、連結時のずれを微調整することができる。
【００１７】
請求項４記載の端子台は、請求項３において、前記係止爪の爪先の全ての突出方向が、端子台取付面に対して略平行方向である。
【００１８】
請求項４記載の端子台によれば、請求項３と同様な効果がある。
【００１９】
請求項５記載の端子台は、請求項３において、前記係止爪の爪先の全ての突出方向が、端子台取付面に対して略垂直方向である。
【００２０】
請求項５記載の端子台によれば、請求項３と同様な効果がある。
【００２１】
【発明の実施の形態】
この発明の第１の実施の形態を図１から図１１により説明する。すなわち、このプリント基板に用いられる端子台は、複数のハウジング１、２と、エンドカバー３と、接続導体４を有する。
【００２２】
複数のハウジング１、２は、接続導体４を収納した同一形状のものである。各ハウジング１、２は、ハウジング１、２の連結方向の片面に設けた弾性片からなる係止爪１８と、その片面と反対側の片面で連結方向に対して同一軸上に隣接するハウジングの係止爪１８を挿入する穴１９と、係止爪１８を穴１９に係止する段部１９ａとを設けている（例えば図９参照）。またハウジング１、２は接続導体４の鎖錠ばね１３を収納する収納空間６を前面に開口し、接続電線２５を挿入する挿入穴７を側面に有し、収納空間６の開口部５側より係止爪１８を突出している。特に、接続電線２５の挿入方向に対して、鎖錠ばね１３を挟んで、両サイドに係止爪１８を配置している。また係止爪１８の一部は接続電線２５の挿入穴７の近傍に設けている。さらに複数あるすべての係止爪１８の爪先の突出方向は、略同一方向であり、係止爪１８の爪先の全ての突出方向が、端子台取付面２ａに対して略平行方向である（図８、図９参照）。
【００２３】
実施の形態では、ハウジング１、２が薄形の箱体であり、厚さ方向の片面に開口部５を形成し、内部に収納空間６を有し、開口部５の周側は角形例えば略四角形をなしている。ハウジング１、２の各開口部５の周縁部に開口方向に向けて複数例えば３個の係止爪１８と、接続導体４のハウジング外面との絶縁距離を確保するための複数の位置決め兼用突条２２を形成している。ハウジング２の背面側にはそれぞれ係止爪１８に係止する穴１９および段部１９ａと突条２２が嵌合する凹条２３を形成している。また凸部６ｂに嵌合する位置決め嵌合凹部２７を形成している。ただし、ハウジング１、２は同一構造にしているので、ハウジング１にも穴１９と段部１９ａと凹部２３がある。
【００２４】
挿入穴７は一コーナ部に対角方向に形成され、電線解錠用穴９を上面に挿入穴７に隣接して設け、電線解錠用穴９に解錠用ボタン１０を挿入し、解錠用ボタン１０に設けた抜止め爪１１を電線解錠用穴９の裏面側に係止している。リード引出用穴８は挿入穴７と略反対側の下面すなわち端子台取付面であるプリント基板との接合面２ａの２個所例えば略中央位置と一側位置とに形成している。ハウジング１、２は同方向に重なるが、ハウジング２はその背面でハウジング１の開口部５を閉塞している。
【００２５】
エンドカバー３は、ハウジング１、２の端に並ぶハウジング２の開口部５を塞ぐものであり、エンドカバーは係止爪１８を挿入する穴１９および係止爪１８を穴１９に係止する段部１９ａならびに凹部２３、２７を設けている。
【００２６】
接続導体４は、接続電線２５を保持する鎖錠ばね１３を有する速結構造であり、各ハウジング１、２のリード引出用穴８より引き出されたリード部１２を有して収納空間６に収納されている。実施の形態では、導電板を略長円形状に曲げ、その一端を鎖錠ばね１３とし、他端を接触片１４として鎖錠ばね１３を接触片１４の内面に傾斜姿勢で対向し、接触片１４の一側に切欠き部１５を形成して解錠用ボタン１０の先端１０ａを切欠き部１５に通し、先端１０ａを鎖錠ばね１３に対接している。プリント基板に接続されるリード部１２は導電板の中間部に切起こしにより一体形成されて、外方に突出している。リード部１２をリード引出用穴８に挿通するとともに鎖錠ばね１３の先端が挿入穴７の内方で内向きになるように配置されて導電部材４を収納空間６に入れ、収納空間６を形成する周壁および収納空間６内に設けた凸部６ａ、６ｂにより位置決めする。ハウジング１、２より引出すリード部１２の位置を互いにずらせるため、リード部１２の切起こし位置を変えており、ハウジング１に収納する導電部材４のリード部１２は中央部のリード部引出用穴８に挿通し、ハウジング２に収納する導電部材４のリード部１２は側部のリード部引出用穴８に挿通している。
【００２７】
実施の形態のような鎖錠ばね１３の配置では、係止爪１８を大きく設定できるため、より連結強度が向上する。
【００２８】
この端子台は解錠用ボタン１０を装着したハウジング１、２にそれぞれ導電部材４を収納し、リード部１２を外部に引出す。ハウジング１の開口部５にハウジング２を重ね、ハウジング１の係止爪１８をハウジング２の穴１９に挿入し段部１９ａに引っ掛ける。同様にハウジング２の開口部５にカバー３を重ね、係止爪１８を穴１９の段部１９ａに引っ掛け、これにより組み立てを完了する。
【００２９】
図８および図９は、端子台のリード部１２をプリント基板３２のホールに挿通し、取付面２ａをプリント基板３２に搭載し、半田付け３３を行ったものである。係止爪１８は弾性片のため穴１９との間に係止爪１８の係止方向のクリアランス３５を設けるとともに、係止爪１８の両側面と穴１９の対向面との間にもクリアランス３６を設けることができる。このため、ハウジング１、２の相互の位置合わせの調整ができる。
【００３０】
図１０はプリント基板３２に複数の端子台Ｐ、Ｑを載せ、電子部品３９を実装して、ケースボディ３７に収納し、ケースカバー３８で被覆する構成を示している。
【００３１】
図１１は、同形のハウジング４１〜４３を追加して全部で５個連結する形態を示している。１極のセット（ハウジング、接続導体４、解除ボタン１０）を連結してつなげていくことで、極数を増やすことができる。また連結する方向と組み立て方向が同じのため、従来のスライド式と比較して組み立て容易である。
【００３２】
この発明の第２の実施の形態を図１２により説明する。第１の実施の形態において、すべての係止爪１８の爪先の突出方向が、端子台取付面２ａに対して略垂直方向になっている。取付面２ａをプリント基板３２に載せるとともにリード部１２をホールに挿通し半田付け３３を行い実装する。このとき、係止爪１８の両側面と穴１９の対向面間のクリアランス３４および係止爪１８の弾性変形方向のクリアランスを利用して、ハウジング１、２相互間の微調整ができ、ハウジング１、２の前後を面位置にそろえることができる。
【００３３】
なお、ハウジングは３個以上重ねてもよい。また係止爪１８をハウジング１、２の開口部５側に設けたが、カバー３およびハウジング２の背面側に設け、開口部５の周縁に穴を設けてもよい。またこの発明の端子台は、カバー３とハウジング２のみでも構成できるものである。さらに端子は速結タイプであったがこれに限らない。
【００３４】
【発明の効果】
請求項１記載の端子台によれば、同一形状のハウジングを複数個連結することによって極数を変更でき、ハウジングの相互を係止爪によって連結するため、連結強度が強く、確実に連結することができる。また連結の個数を増やしても、圧入でなくてよいのでほぼ真っ直ぐに連結でき、係止爪を引っ掛ける段部は穴に設けられているため、外力によって容易に外されない。
【００３６】
さらに、鎖錠ばねを挟んで両側に係止爪を設けているため、電線の挿入に対して、係止爪にかかる力がほぼ均等であるので、片側に広く隙間が開くことがない。
【００３７】
請求項２記載の端子台によれば、請求項１と同様な効果のほか、電線をこじられた場合でも、挿入穴の近傍の係止爪でハウジング同士またはハウジングとエンドカバーを固定しているので、容易には外れない。
【００３８】
請求項３記載の端子台によれば、請求項１または請求項２と同様な効果のほか、すべての係止爪の突出方向が同一のため、係止爪とその係止部とのクリアランスを設けることができ、連結時のずれを微調整することができる。
【００３９】
請求項４記載の端子台によれば、請求項３と同様な効果がある。
【００４０】
請求項５記載の端子台によれば、請求項３と同様な効果がある。
【図面の簡単な説明】
【図１】この発明の第１の実施の形態の分解斜視図である。
【図２】全体の斜視図である。
【図３】図２と反対方向からみた斜視図である。
【図４】エンドカバーを開いた状態の電線挿入状態のハウジングの正面図である。
【図５】図４の電線が接続されていない状態の正面図である。
【図６】分解斜視図である。
【図７】図６と反対側からみた分解斜視図である。
【図８】プリント基板に実装した状態の背面図である。
【図９】図８のＡ−Ａ線断面図である。
【図１０】プリント基板をケースに組み込んだ状態の斜視図である。
【図１１】ハウジングの連結を示す斜視図である。
【図１２】（ａ）は第２の実施の形態のプリント基板に実装した状態の背面図、（ｂ）はそのＢ−Ｂ線断面図である。
【図１３】従来例の部分斜視図である。
【符号の説明】
１    ハウジング
２    ハウジング
３    エンドカバー
４    接続導体
５    開口部
６    収納空間
７    挿入穴
８    リード引出用穴
１２    リード部
１３    鎖錠ばね
１８    係止爪
１９    穴
１９ａ    段部
２０    連通部
２５    接続電線
３２    プリント基板
【図１】
0003745976.tif 000002
【図２】
0003745976.tif 000003
【図３】
0003745976.tif 000004
【図４】
0003745976.tif 000005
【図５】
0003745976.tif 000006
【図６】
0003745976.tif 000007
【図７】
0003745976.tif 000008
【図８】
0003745976.tif 000009
【図９】
0003745976.tif 000010
【図１０】
0003745976.tif 000011
【図１１】
0003745976.tif 000012
【図１２】
0003745976.tif 000013
【図１３】
0003745976.tif 000014